(57)【要約】【課題】最小限のスペースでありながら猫の習性や行動特性を十分に鑑みた繁殖環境を整えて繁殖率を高めるとともに、猫本来の運動能力を備え、人に馴化した研究あるいは愛玩用の猫を低コストで繁殖・養育できる猫繁殖用飼育ケージを提供する。【解決手段】人が出入り可能な大きさの扉３を設けた箱形状のケージ本体２を有し、このケージ本体２の扉３から入った手前には猫が着地可能な広さおよび飼育員が作業可能な広さの着地兼作業スペース４が設けられ、この着地兼作業スペース４の奥側には床板５および高さ方向に所定間隔の段差をもった違い棚６が設けられ、床板５がケージ底から所定の高さに設けた高床状とされ、最下段の棚板６ａと床板５との間の空間は、ケージ本体２の側面ないし最下段の棚板６ａと床板５との間に、猫の出入り口９ａを残して遮蔽用パネル７により周囲から遮蔽された繁殖用小部屋９を形成する。【選択図】    図１
0003119783.tif 000002
【実用新案登録請求の範囲】
【請求項１】
猫を繁殖させるために使われる猫繁殖用飼育ケージであって、人が出入り可能な大きさの扉が設けられている箱形状のケージ本体を有しており、このケージ本体の扉から入った手前には猫が着地可能な広さおよび飼育員が作業可能な広さの着地兼作業スペースが設けられており、この着地兼作業スペースの奥側には床板および高さ方向に所定間隔の段差をもった違い棚が設けられ、前記床板がケージ底から所定の高さに設けた高床状とされており、前記違い棚のうち最下段の棚板と前記床板との間の空間は、前記ケージ本体の側面ないし前記最下段の棚板と前記床板との間に、猫の出入り口を残して遮蔽用パネルにより周囲から遮蔽された繁殖用小部屋に形成されていることを特徴とする猫繁殖用飼育ケージ。
【請求項２】
請求項１において、前記最下段の棚板および前記床板は着地兼作業スペースに対してケージ本体内の左右いずれかの奥側隅部に接して設けられ、それら最下段の棚板および床板の間に対応する前記ケージ本体の左右側面と後方側面に遮蔽用パネルを配置するとともに、前記最下段の棚板および前記床板の間の前面に取り外し可能な遮蔽用着脱パネルを配置することにより繁殖用小部屋が形成されていることを特徴とする猫繁殖用飼育ケージ。
【請求項３】
請求項２において、前記遮蔽用パネルは、最下段の棚板からケージ本体の底部までを覆う大きさに形成されていることを特徴とする猫繁殖用飼育ケージ。
【請求項４】
請求項１から請求項３のいずれかにおいて、前記ケージ本体の側面全体は、猫が登れる網目状部材によって形成されていることを特徴とする猫繁殖用飼育ケージ。
【考案の詳細な説明】
【技術分野】
【０００１】
本考案は、猫の繁殖用飼育ケージに関し、さらに詳しくは、猫の運動特性および習性に合わせた環境の下で繁殖効果を高め、研究用および愛玩動物用として人に慣れた猫の繁殖育成が可能な猫繁殖用飼育ケージに関するものである。
【背景技術】
【０００２】
従来より動物用の飼育ケージがいくつか提案されているが、犬や猫等の動物一頭を入れられる程度の大きさであり、繁殖できるような環境を提供できるものではない。例えば、特開平９−３２２６７０号公報（特許文献１）では、犬や猫等の動物一頭を入れられる程度の大きさを有する箱形であって、飼育動物に不安を与えずに効率的に排泄物を除去・洗浄するために排泄物の溜まるケージの床板とトレイに工夫を施した飼育ケージが提案されている。
【０００３】
【特許文献１】特開平９−３２２６７０号
【考案の開示】
【考案が解決しようとする課題】
【０００４】
しかしながら、猫は上下の高さ方向に運動する特性があり、仮に特許文献１に記載された飼育ケージを猫の繁殖目的に使用すると、上下運動ができるスペースがないため母猫にストレスが生じやすく、繁殖環境として好ましくない。また、狭い空間では仔猫を健康に育てられるスペースが限られてしまうため出産数の減少につながる。さらに、生まれた仔猫に猫本来の運動能力を備えさせるための活発な運動をさせることができず、研究に供する場合にも問題が生じる可能性がある。
【０００５】
また、妊娠中や子育て中の母猫は非常に敏感であり、他のつがいや人との接触により仔猫を食い殺してしまう習性があるため、特許文献１のような飼育ケージだと、外部から遮蔽された空間がないため他のつがいや人との接触を避けられず、母猫が安心して出産および養育できないという問題がある。
【０００６】
一方、近年、動物愛護に対する厳しい目があり、猫を不自然な環境下で繁殖育成することは、公序良俗に反する行為であると指摘されるおそれもあり、可能な限り良好な環境下で繁殖飼育できる手段が望まれている。
【０００７】
なお、研究に供する猫を研究施設などで繁殖目的に育成する場合、妊娠した猫を他のつがいと同居させられないため、一組のつがいに一部屋を与える場合が多い。したがって、研究に必要な個体数を繁殖させるには何部屋も用意しなければならず、極めて非効率的な状況になってしまうし、現実的にはそれほど多くを繁殖させられない。このため、従来は保健所などから野良猫の払い下げを受けて補足したり、狭いケージで繁殖した猫を使用するのが一般的であった。
【０００８】
しかし、保健所等から払い下げられた猫は個体差が大きく、人に慣れていないため扱いづらく、このため研究者と長期間の接触が必要とされる研究には適さないという問題がある。さらに、払い下げ猫の中には感染症に罹っているものも多く、動物飼育施設内で飼育されている健康なネコに感染を伝播させる危険性もある。最近では動物愛護の観点から、研究に使用できる猫は研究目的で繁殖されたもののみに制限され、保健所等からの払い下げ猫の研究使用は不可能となっている。
【０００９】
一方、狭いケージで繁殖された猫の場合には、一般的に身体の発達が悪く抵抗力が弱いため、麻酔薬等に対する耐性が低く薬剤効果が一定しない。また、このような狭い環境で育った繁殖猫は実験室などの広い場所を怖がり、また四肢筋力の発達も弱いため運動能力を測定するような研究には適さない。
【００１０】
以上のように保健所等から払い下げられた猫は研究には使用できなくなり、狭いケージで繁殖された猫を研究に使用するにも限界があるため、猫本来の運動能力を有した健康で人に馴れた猫を低コストで繁殖することが重要なニーズとなっている。
【００１１】
そして、猫を研究用だけでなく愛玩動物として繁殖する場合にも、人に馴れた健康な猫を低コストで繁殖することが望まれている。
【００１２】
本考案は、上記問題を解決するためになされたものであり、最小限のスペースでありながら猫の習性や行動特性を十分に鑑みた繁殖環境を整えて繁殖率を高めるとともに、猫本来の運動能力を備えられる環境を提供し、しかも飼育員が排泄物の処理や清掃がし易く、猫とも触れ合えるスペースを設けることで人への馴化が必要な研究用あるいは愛玩用の猫を低コストで繁殖・養育できる猫繁殖用飼育ケージを提供することを目的としている。
【課題を解決するための手段】
【００１３】
本考案に係る猫繁殖用飼育ケージの特徴は、猫を繁殖させるために使われる猫繁殖用飼育ケージであって、人が出入り可能な大きさの扉が設けられている箱形状のケージ本体を有しており、このケージ本体の扉から入った手前には猫が着地可能な広さおよび飼育員が作業可能な広さの着地兼作業スペースが設けられており、この着地兼作業スペースの奥側には床板および高さ方向に所定間隔の段差をもった違い棚が設けられ、前記床板がケージ底から所定の高さに設けた高床状とされており、前記違い棚のうち最下段の棚板と前記床板との間の空間は、前記ケージ本体の側面ないし前記最下段の棚板と前記床板との間に、猫の出入り口を残して遮蔽用パネルにより周囲から遮蔽された繁殖用小部屋に形成されている点にある。
【００１４】
このような構成を採用したことにより、着地兼作業スペースや違い棚、高床状の床板、繁殖用小部屋が猫の習性や運動特性に応じて繁殖・出産・養育の好適な環境を提供することになり、高い繁殖率と敏捷性に優れ、健康で人に馴化した猫の育成が可能となる。特に繁殖用小部屋の位置を高床状にして猫の排泄用トレイを置く最下段の床面と分離することで出産・養育時に必要な衛生的環境が確保できる。
【００１５】
また、本考案は、前記最下段の棚板および前記床板は着地兼作業スペースに対してケージ本体内の左右いずれかの奥側隅部に接して設けられ、それら最下段の棚板および床板の間に対応する前記ケージ本体の左右側面と後方側面に遮蔽用パネルを配置するとともに、前記最下段の棚板および前記床板の間の前面に取り外し可能な遮蔽用着脱パネルを配置することにより繁殖用小部屋が形成されていることが好ましい。
【００１６】
このような構成を採用したことにより、母猫が出産・養育時には遮蔽用着脱パネルを付けて周囲から遮蔽された繁殖用小部屋を狭いケージ内で効率的に設けられ、出産・養育時以外の飼育時には遮蔽用着脱パネルを外して飼育員の観察が行き届くよう解放され、飼育状況に応じて適時変更できる。
【００１７】
さらに、本考案は、遮蔽用パネルを最下段の棚板からケージ本体の底部までを覆う大きさに形成することが好ましい。このような構成によれば、出産・養育時に母猫が隣接する猫繁殖用飼育ケージから受けるストレスを回避し、さらに排泄物や汚水の飛散を防止できる。
【００１８】
そして、本考案は、前記ケージ本体の側面全体は、猫が登れる網目状部材によって形成されていることが望ましい。このような構成を採用したことにより、猫が網目状部材を使った昇降運動をすることができるため、四肢筋力の増強並びに敏捷性を培うことにつながり、高い運動能力をもつ仔猫の養育が可能となる。
【考案の効果】
【００１９】
本考案によれば、最小限のスペースでありながら猫の習性や行動特性を十分に鑑みた繁殖環境を整えて繁殖用として省スペースで高い繁殖率が得られることはもちろん、飼育員が排泄物の処理や清掃がし易く、人に馴化した運動能力の高い健康な猫を養育することができるため、低コストで研究用および愛玩動物用の猫を安定して供給することができる。
【考案を実施するための最良の形態】
【００２０】
以下、本考案に係る猫繁殖用飼育ケージの実施形態について図面を用いて説明する。
【００２１】
図１は本考案に係る猫繁殖用飼育ケージの実施形態を示す斜視図であり、図２は本実施形態において遮蔽用着脱パネルを外した状態を示す斜視図、図３は正面図、図４は右側面図、図５は背面図、図６は図３における５Ａ−５Ａ線の断面図である。
【００２２】
図１〜図３に示すように、猫繁殖用飼育ケージ１は、人が出入り可能な大きさの扉３が設けられた箱形状のケージ本体２を有している。このケージ本体２の側面は猫が登れる金網などの網目状部材２ａで形成されている。前記ケージ本体２の扉３から入った手前側には、猫が上から跳んだ場合に着地可能な広さと、飼育員がケージ内に入って清掃作業や猫に触れ合う作業ができる広さとを兼ね備えた着地兼作業スペース４が設けられている。そして、この着地兼作業スペース４の奥側には、床板５および高さ方向に所定間隔の段差をもった違い棚６が奥側隅部に接するように設けられている。前記床板５はケージ底から所定の高さを設けて高床状にされている。このように高床状に床板５を配置するのは、底部に水を流しながら清掃できる隙間を設けるためである。そして、ケージ本体２の底面には排水溝等が連結されることが好ましい。
【００２３】
また、違い棚６の最下段の棚板６ａとケージ底との間の空間に対応するケージ本体２の左右および後方側面には、遮蔽用パネル７が配置されている。さらに、違い棚６の最下段の棚板６ａと床板５との間の前面には、取り外し可能な遮蔽用着脱パネル８が設置されている。前記遮蔽用パネル７と遮蔽用脱着パネル８の設置によって、周囲から遮蔽された繁殖用小部屋９が形成されている。前記繁殖用小部屋９の左側は開口されており、猫の出入り口９ａが設けられている。遮蔽用パネル７は繁殖用小部屋９の範囲のみに限定して設置してもよいが、本実施形態では、出産・養育時に母猫が隣接ケージの猫との対面によって生ずるストレスを回避・軽減する目的および隣接ケージからの排泄物や汚水の飛散を防止の目的で目隠しできる範囲をより大きくとっており、ケージ本体２の側面の奥行き全体および最下段の棚板６ａから下全体を遮蔽し得る大きさに設けられている。
【００２４】
ここで、本考案に係る具体的な猫繁殖用飼育ケージ１のサイズの一例を示すと、ケージ本体２は幅８０ｃｍ、奥行き１５１ｃｍ、高さは２００ｃｍの直方体に構成されている。床板５のサイズは、幅８０ｃｍ、奥行き５０ｃｍであり、ケージ本体２の奥側面に接する位置でケージ底から３０ｃｍの高さに設置されている。各違い棚６のサイズは、幅４５ｃｍ、奥行き５０ｃｍであり、それぞれ床板５から上方へ５０ｃｍ、９０ｃｍ、１３０ｃｍの高さで、かつ左右の側面に互い違いに寄せられてゲージ本体２の奥側隅部に接するように設置されている。なお、床板５や違い棚６の間隔は猫の種類や年齢等に合わせて適宜設定してよい。
【００２５】
つぎに、上記構成を備えた本第１実施形態における猫繁殖用飼育ケージ１の作用および効果について説明する。
【００２６】
本実施形態における繁殖用小部屋により、一部屋に複数のケージを並べて置いても他のつがいとの接触や飼育員・観察者との接触を遮蔽できるため、出産・養育時に母猫が隣接ケージの猫との対面によって生ずるストレスを回避・軽減でき、死産や出産直後に食い殺される仔猫の発生率が非常に低くなり、低コストで高い繁殖率が得られる。
【００２７】
また、遮蔽用パネル７を繁殖用小部屋９の範囲のみならず、最下段の棚板６ａから下の側面全体のより大きな範囲に設置することにより、隣接ケージからの排泄物や汚水の飛散を防ぐなど衛生上でも十分な効果が得られる。
【００２８】
そして、高床状の床板部分は猫の生活スペースとして使用でき、高床状にしたことにより、猫の排泄用トレイを置く最下段の床面と分離することができ、出産・養育時に必要な衛生的環境を確保できる。また、猫を濡らさずに床下に直接水を流して排泄物を除去することができるため、効率的な清掃ができ、清掃時の飼育員の労力を軽減させることができる。
【００２９】
そして、着地兼作業スペースにより、人が直接ケージ内に入ることができるため、効率的に清掃することができケージ内が衛生的な状態に保たれ、感染防止による仔猫の健康維持が可能となる。
【００３０】
さらに、違い棚と着地兼作業スペースを利用して猫の運動特性の一つである上下運動や、違い棚の上段から床へ直接跳び降りるなどの活発な運動を行わせることができるため、四肢筋力の増強並びに機敏性を培うことができ、健康で運動能力の高い猫を養育できる。
【００３１】
つぎに、本実施形態の猫繁殖用飼育ケージ１を使って猫を繁殖させた試験結果について説明する。
【００３２】
試験例１〔出産数・育成状況の比較〕
試験例１では、本実施形態の猫繁殖用飼育ケージ１で生育した雌猫を母猫として用いた場合と、払い下げられた雌猫を母猫に用いた場合との出産数を比較した。この結果を図７に示す。
【００３３】
図７に示すように、払い下げられた雌猫の場合、出産数は母猫Ａおよび母猫Ｂともに４匹であり、母猫Ａの２産目は１匹であった。ちなみに一般的な猫の出産数は４〜５匹であり、従来型の狭いケージ内１で繁殖した場合には、死産や母猫による仔猫の食い殺し等が高い確率で観察されていた。
【００３４】
一方、本実施形態の猫繁殖用飼育ケージ１で生育した雌猫では、いずれも出産数は母猫１匹あたり５匹以上であり、母猫Ｃの２産目は７匹となり一般的な猫の出産状況に比べても高い出産率であった。また、いずれも死産および母猫による仔猫の食い殺しは観察されなかった。
【００３５】
以上の試験例１の結果から本実施形態の猫繁殖用飼育ケージ１が高い繁殖率を奏することが理解できる。
【００３６】
試験例２〔体重推移〕
試験例２では、本実施形態の猫繁殖用飼育ケージ１で生育した猫の体重を測定し、市販書（カラー図鑑 猫の飼い方 [初めてネコを育てる]、成美堂出版）に示された一般的な飼い猫の体重と比較した。その結果を図８に示す。
【００３７】
図８に示すように、本実施形態における猫繁殖用飼育ケージ１で出産、育成された仔猫は順調に成長し、出産後６カ月目では、雄猫の平均体重が２５８６ｇ、雌猫の平均体重が２５９０ｇであった。これに対し、一般的な飼い猫の体重は出産後６ヶ月目では雄猫で約２４００ｇ、雌猫で約２２００ｇであり、本実施形態の猫繁殖用飼育ケージ１で育った猫の体重が一般的な飼い猫よりも高い体重値であり、大きく育っていることがわかる。
【００３８】
さらに出産後８ヶ月目では、本実施形態による雄猫の平均体重は４１６０ｇ、雌猫の平均体重は２９００ｇであったのに対し、一般的な飼い猫の体重は雄猫で約３０００ｇ、雌猫で約２７００ｇであり、いずれも本実施形態の猫繁殖用飼育ケージ１で育った猫の体重値が高い値を示した。ちなみに発明者の従来の研究施設で狭いケージを使用して育成した出産後２年経過した雌猫の体重を測定したところ約２２００〜２５００ｇであった。この結果と比較しても猫繁殖用飼育ケージ１により育成する猫の成長の良さがわかる。
【００３９】
以上のように本実施形態の猫繁殖用飼育ケージ１によれば、以下に示すような各種の利点がある。
【００４０】
〔母猫側の利点〕
１．妊娠・出産・養育期間に合わせた適切な環境を与えられるため、ストレスが少なく、良好な健康状態や精神状態を保つことが出来る。
２．死産数が極めて少なく、出産直後に仔猫を食い殺してしまうことがない。
３．出産数が増加し、繁殖率の高い状態を維持できる。
【００４１】
〔仔猫側の利点〕
１．充分な運動環境を与えられているため、猫本来の敏捷な運動能力を培うことができる。
２．違い棚５および側面の網目状部材２ａを使って昇降運動を行うことで四肢筋力が発達増強する。
３．飼育員との接触の機会が多いため、人に対する親密な感情が培われる。  
４．成長が早く健康であるため、６ヶ月程度で研究への使用が可能となる。
【００４２】
〔飼育員側の利点〕
１．直接ケージ内に入り込めるため、飼育管理・清掃作業がしやすい。
２．猫に直接触れることができるため、猫の健康状態を的確に把握できる。
３．親猫との親密な関係を築くことができるため、妊娠・養育期間中の親猫に与えるストレスを大幅に軽減できる。
４．親密な関係を築くことで親猫に対してトイレ等の躾をすることができ、躾を身につけた親猫は出産した仔猫に対して代々躾をするため、躾を身につけた猫の繁殖が可能となり、飼育・管理上の負担を軽減できる。
【００４３】
〔研究者側の利点〕
１．研究に必要な数の健康な猫が安定して得られる。
２．人に馴れているため、扱いやすく幅広い研究用途に適している。特に長期の研究期間を要する研究の場合には人への馴化は必要不可欠である。
【００４４】
なお、本考案に係る猫繁殖用飼育ケージ１は、前述した実施形態に限定されるものではなく、適宜変更することができる。例えば、猫繁殖用飼育ケージ１の扉３の大きさ、ケージ内の着地兼作業スペース４の設置場所は、人の入る程度の空間が確保される程度であれば、設置場所等に合わせて適時変更することができる。
【００４５】
また、猫繁殖用飼育ケージ１内の床板５や違い棚６の大きさ、数および設置場所も、上記で示した大きさや位置に限られるものではなく、設置場所等に合わせて適時変更することができる。
【００４６】
そして、猫繁殖用飼育ケージ１内の遮蔽用パネル７の大きさも、上記で示した大きさや位置に限られるものではなく、取り外し可能な遮蔽用着脱パネル８を設置した時に繁殖用小部屋９が形成できるものであれば、適時変更することができる。
【００４７】
そして、猫繁殖用飼育ケージ本体２を覆う網目状部材２ａの素材は、金網などの猫が捕まって運動できる構造と強度があれば、任意に選択することができる。
【図面の簡単な説明】
【００４８】
【図１】本発明に係る猫繁殖用飼育ケージの実施形態を示す斜視図である。
【図２】本実施形態において遮蔽用脱着パネルを外した状態を示す斜視図である。
【図３】本実施形態の繁殖用飼育ケージの正面図である。
【図４】本実施形態の繁殖用飼育ケージの右側面図である。
【図５】本実施形態の繁殖用飼育ケージの背面図である。
【図６】図３における５Ａ−５Ａ線の断面図である。
【図７】本実施形態における試験例１の結果を示す表である。
【図８】本実施形態における試験例２の結果を示す表である。
【符号の説明】
【００４９】
１  猫繁殖用飼育ケージ
２  ケージ本体
２ａ  網目状部材
３  扉
４  着地兼作業スペース
５  床板
６  違い棚
６ａ  最下段の棚板
７  遮蔽用パネル
８  遮蔽用着脱パネル
９  繁殖用小部屋
９ａ  猫の出入り口
【図１】
0003119783.tif 000003
【図２】
0003119783.tif 000004
【図３】
0003119783.tif 000005
【図４】
0003119783.tif 000006
【図５】
0003119783.tif 000007
【図６】
0003119783.tif 000008
【図７】
0003119783.tif 000009
【図８】
0003119783.tif 000010